(57)【要約】    【課題】  電池残量を正確に表示できる携帯端末を提供する    【解決手段】  所定時間前の電池の測定電圧値及び負荷電流値と、今回の電池の測定電圧値及び負荷電流値から電池内部抵抗値を算出する（Ｓ１８）。今回の電池の測定電圧値を算出された内部抵抗値に基づき補正する（Ｓ２０）。そして、修正された電池の電圧値に基づき電池の残量が表示部２４にアイコン表示される（Ｓ２２）。電池電圧の電圧降下に対する補正が行われ、電池の残量が表示されるため、機器の負荷が高く消費電力が多くなっても、電池残量が正確に表示される。【選択図】  図８
2019161931.tif 000002
【特許請求の範囲】
【請求項１】
表示器を備え電池を内蔵し、前記表示器に前記電池の残量を表示する携帯端末であって、
所定時間前の電池の測定電圧値及び負荷電流値と、今回の電池の測定電圧値及び負荷電流値から修正値を算出する修正値算出手段と、
前記今回の電池の測定電圧値を算出された前記修正値に基づき補正する補正手段と、
前記補正手段で修正された電池の電圧値に基づき前記電池の残量を前記表示器に表示する表示手段と、を備えることを特徴とする携帯端末。
【請求項２】
請求項１の携帯端末であって、
前記修正値算出手段は、前記修正値として、前記所定時間前の電池の測定電圧値及び負荷電流値と前記今回の電池の測定電圧値及び負荷電流値との差から前記電池の等価内部抵抗値を求めることを特徴とする携帯端末。
【請求項３】
請求項２の携帯端末であって、
前記補正手段は、前記今回の負荷電流値から所定の負荷電流値を減算した値に前記等価内部抵抗値を掛けることで、前記所定の負荷電流値の際の電池電圧へ補正するための前記補正値を求め、そして、前記今回の電池の測定電圧値に、前記補正値を加え前記所定の負荷電流値の際の電池の電圧値を求め、
前記表示手段は、前記補正値が加えられ求められた前記所定の負荷電流値の際の前記電圧値に基づき前記電池の残量を表示することを特徴とする携帯端末。
【請求項４】
請求項１〜請求項３のいずれか１の携帯端末であって、
前記電池の負荷電流値を複数の電力消費部品の内のいずれが駆動されているかに基づき推定する負荷電流値推定手段を更に備え、
前記修正値算出手段は、前記負荷電流値推定手段により推定された前記負荷電流値を用いて前記修正値を算出することを特徴とする携帯端末。
【請求項５】
請求項１〜請求項４のいずれか１の携帯端末であって、
残量の前記表示は、アイコン表示であることを特徴とする携帯端末。
【請求項６】
請求項５の携帯端末であって、
前記アイコン表示は電池残量に応じた３段階以上の段階表示であることを特徴とする携帯端末。
【請求項７】
請求項１〜請求項６のいずれか１の携帯端末であって、
前記電池は二次電池であることを特徴とする携帯端末。
【請求項８】
請求項１〜請求項７のいずれか１の携帯端末であって、
前記携帯端末は、無線タグリーダ、コードリーダのいずかであることを特徴とする携帯端末。
【発明の詳細な説明】
【技術分野】
【０００１】
本発明は、電池残量を表示する電池駆動の携帯端末に関する。
【背景技術】
【０００２】
特許文献１は、電池電圧から電池残量を推定し、電池電圧に応じて電池残量をアイコン表示する装置を開示している。
【先行技術文献】
【特許文献】
【０００３】
【特許文献１】特開２０１６−３６２１５号公報
【特許文献１】特開２００７−２２８６００号公報
【発明の概要】
【発明が解決しようとする課題】
【０００４】
特許文献１では、電池電圧から電池残量を直接推定しているので、機器の負荷が高く消費電力が多くなると、電池の電圧降下により、電池残量を少なく表示することになる。このため、充電を行うことなく使用し得る時間の目処が狂い、携帯端末が使い難くなる原因となっていた。また、逆に負荷電流が小さくなると、電池残量が多く表示されることもあった。
【０００５】
本発明の目的は、電池残量を正確に表示できる携帯端末を提供することにある。
【課題を解決するための手段】
【０００６】
本発明の携帯端末は、表示器（２４）を備え電池（２９ａ）を内蔵し、前記表示器に前記電池の残量を表示する。そして、
所定時間前の電池の測定電圧値及び負荷電流値と、今回の電池の測定電圧値及び負荷電流値から修正値を算出する修正値算出手段（Ｓ１８）と、
前記今回の電池の測定電圧値を算出された前記修正値に基づき補正する補正手段（Ｓ２０）と、
前記補正手段で修正された電池の電圧値に基づき前記電池の残量を前記表示器に表示する表示手段（Ｓ２２）と、を備えることを特徴とする。
なお、上記各括弧内の符号は、後述する実施形態に記載の具体的手段との対応関係を示すものである。
【発明の効果】
【０００７】
請求項１の携帯端末は、所定時間前の電池の測定電圧値及び負荷電流値と、今回の電池の測定電圧値及び負荷電流値から修正値を算出する。今回の電池の測定電圧値を算出された修正値に基づき補正する。そして、補正された電池の電圧値に基づき電池の残量が表示器に表示される。電池電圧の電圧降下に対する補正が行われ、電池の残量が表示されるため、機器の負荷が高く消費電力が多くなっても、電池残量が正確に表示される。
【０００８】
請求項２の発明では修正値として、所定時間前の電池の測定電圧値及び負荷電流値と今回の電池の測定電圧値及び負荷電流値との差から電池の等価内部抵抗値を求める。このため、等価内部抵抗値の変動に対する補正が行われ、電池の残量が表示されるため、機器の負荷が高く消費電力が多くなっても、電池残量が正確に表示される。
【０００９】
請求項３の発明では、今回の負荷電流値から所定の負荷電流値を減算した値に等価内部抵抗値を掛けることで、所定の負荷電流値の際の電池電圧へ補正するための補正値を求め、そして、今回の電池の測定電圧値に、補正値を加え所定の負荷電流値の際の電池の電圧値を求め、補正値が加えられ求められた所定の負荷電流値の際の電圧値に基づき電池の残量を表示する。このため、等価内部抵抗値の変動による電池電圧の電圧降下に対する補正が行われ、電池の残量が表示されるため、機器の負荷が高く消費電力が多くなっても、電池残量が正確に表示される。
【００１０】
請求項４の発明では、電池の負荷電流値を複数の電力消費部品の内のいずれが駆動されているかに基づき推定し、推定された負荷電流値を用いて修正値を算出する。このため、高価な電流計測用の素子が用いられることなく、電池残量が正確に表示される。
【００１１】
請求項５の発明では、残量の表示がアイコン表示であるため、視覚的に電池残量の把握が容易である。
【００１２】
請求項６の発明では、アイコン表示は電池残量に応じた３段階以上の段階表示であるため、視覚的に電池残量の把握が容易である。
【００１３】
請求項７の発明では、電池が二次電池であるため、電池残量を正確に表示することで、次回の充電時期を適切に示唆することができる。
【００１４】
請求項８の発明で、携帯端末は、無線タグリーダ、コードリーダのいずかであるため、無線タグリーダ、コードリーダで電池残量を正確に表示できる。
【図面の簡単な説明】
【００１５】
【図１】第１実施形態に係るＲＦＩＤ読取装置の構成概要を示す図である。
【図２】ＲＦＩＤ読取装置の電気的構成を例示するブロック図である。
【図３】図３（Ａ）は電池電圧と電池容量の関係を示す図であり、図３（Ｂ）は残容量のアイコン表示の説明図である。
【図４】図４（Ａ）は残容量表示を行うための参照される電圧値を示す図であり、図４（Ｂ）は、高負荷時に、規定負荷の際の電池電圧に基づく電池残容量表示をそのまま行った場合を示す図である。
【図５】負荷電流と電池電圧と電池容量との関係を示す図である。
【図６】図６（Ａ）は実施形態の補正後の電池電圧と電池容量の関係を示す図であり、図６（Ｂ）は補正後の残容量のアイコン表示の説明図である。図６（Ｃ）は補正原理の説明図である。
【図７】消費電流テーブルの説明図である。
【図８】残容量表示のための処理を示すフローチャートである
【発明を実施するための形態】
【００１６】
［第１実施形態］
以下、本発明に係る携帯端末を具現化した第１実施形態のＲＦＩＤ読取装置について、図面を参照して説明する。図１は、第１実施形態に係るＲＦＩＤ読取装置１０の構成概要を示す図であり、図１（Ａ）は上面図、図１（Ｂ）は底面図である。図２は、ＲＦＩＤ読取装置１０の電気的構成を例示するブロック図である。
【００１７】
図１（Ａ），（Ｂ）に示すＲＦＩＤ読取装置１０は、使用者によって携帯されて様々な場所で用いられる携帯型の情報端末として構成されており、アンテナを介して送受信される電波を媒介としてＲＦＩＤタグ（無線タグ）８０に記憶されている情報を読み取る無線タグリーダとしての機能を備える。
【００１８】
図１（Ａ），（Ｂ）に示すように、ＲＦＩＤ読取装置１０は、ＡＢＳ樹脂等の合成樹脂材料により形成される上側ケース１１ａおよび下側ケース１１ｂが組み付けられて構成される縦断面が略長方形で略立方形状の筐体１１によって外郭が形成されている。また、上側ケース１１ａには、所定の情報を入力、所定の機能を切り替える際に操作されるマルチファンクションキー２５Ａおよび読み取り動作の開始を指示するトリガースイッチ２５Ｂや、所定の情報を表示するための表示部２４等が配置されている。また、下側ケース１１ｂには、前方に向けて読取面１２が形成され、電池蓋１１ｃが取り付けられている。
【００１９】
次に、ＲＦＩＤ読取装置１０が備えている機能について説明する。
ＲＦＩＤ読取装置１０の筐体１１内には、リチュームイオンバッテリ２９ａと、ＲＦＩＤタグとの通信を行うアンテナ５０とを備える。
【００２０】
図２（Ａ）に示されるように、ＲＦＩＤ読取装置１０には、ＲＦＩＤ読取装置１０全体を制御する制御部２１が設けられている。この制御部２１は、マイコンを主体として構成されるものであり、ＣＰＵ、システムバス、入出力インタフェース等を有し、メモリ２２とともに情報処理装置を構成している。また、制御部２１には、表示部２４、キー操作部２５、バイブレータ２６、ブザー２７、外部インタフェース２８などが接続されている。
【００２１】
キー操作部２５は、マルチファンクションキー２５Ａ、トリガースイッチ２５Ｂの操作に応じて、制御部２１に対して操作信号を与えるよう構成され、制御部２１は、この操作信号を受けて操作信号の内容に応じた動作を行う。また、表示部２４、バイブレータ２６およびブザー２７は、制御部２１によって制御される構成をなしており、それぞれ、制御部２１からの指令を受けて動作する。外部インタフェース２８は、外部機器等との間でのデータ通信を行うためのインタフェースとして構成されており、制御部２１と協働して通信処理を行う構成をなしている。また、筐体１１内には、電源部２９が設けられており、この電源部２９やリチュームイオンバッテリ２９ａによって制御部２１や各種電力消費部品に電力が供給されるようになっている。
【００２２】
また、制御部２１には、非接触通信部３０が接続されている。
非接触通信部３０について、図２（Ｂ）を用いて説明する。
非接触通信部３０は、接続されたアンテナ５０を介してＲＦＩＤタグ８０と非接触通信を行う。
【００２３】
非接触通信部３０は、アンテナ５０及び制御部２１と協働してＲＦＩＤタグ８０との間で電波（電磁波）による通信を行ない、ＲＦＩＤタグ８０に記憶されるデータの読取り、或いはＲＦＩＤタグ８０に対するデータの書込みを行なうように機能するものである。
【００２４】
この非接触通信部３０は、公知の電波方式で伝送を行う回路として構成されており、図２（Ｂ）にて概略的に示すように、発振器３４、変調器３５、復調器３６などを備えてなるものである。非接触通信部３０には、これら以外の公知構成（例えば、増幅器、フィルタ回路、整合回路等）も設けられているが、図２（Ｂ）ではこれらについては図示を省略している。
【００２５】
ＲＦＩＤ読取装置１０は、表示部２４にリチュームイオンバッテリ２９ａの残容量を図３（Ｂ）中に示されるように４段階のアイコン表示を行う。図３（Ｂ）は、残容量（％）、時間（ｈ）、アイコンの電池形状の枠内に棒表示との対応を示す図である。ここで、電池形状の枠内に棒３本の表示が、満容量から４０％容量が低下するまでの状態を示し、電池形状の枠内に棒２本の表示が、容量６０％から容量３０％までの状態を示し、電池形状の枠内に棒１本の表示が、容量２５％から容量５％までの状態を示し、電池形状の枠内に棒無しの表示が、容量５％以下の状態を示す。
【００２６】
規定負荷（５０mA）で１４時間程度使用できる容量がリチュームイオンバッテリ２９ａに設定されている。ＲＦＩＤ読取装置の使用者に対して、電池形状の枠内に棒３本の表示が、容量が半分以上あることを示し、連続１４時間の内、残り８時間以上使用可能であること示唆している。電池形状の枠内に棒２本の表示が、容量が半分程度あることを示し、残り４時間以上使用可能であることが示唆されている。電池形状の枠内に棒１本の表示が、容量が１／３以下あることを示し、残り１時間程度使用可能であることが示唆されている。電池形状の枠内に棒無しの表示が、容量がほとんど残っていないことを示し、充電を行わないと使用できない状態が迫っていることが示唆されている。
【００２７】
図４（Ａ）は、上述した残容量表示を行うための参照される規定負荷（５０mA）での電圧値を示す図である。縦軸に電池（リチュームイオンバッテリ）電圧（Ｖ）で、横軸に時間（ｈ）が取られている。曲線は規定負荷（５０mA）の際の電池電圧の低下を示し、満充電電圧４．３５Ｖから電圧３．８Ｖ以下になると電池形状の枠内に棒３本から棒２本の表示に切り替わる。電圧が更に下がって、３．７５Ｖ以下になると電池形状の枠内に棒２本から棒１本の表示に切り替わる。電圧が更に下がって、３．５Ｖ以下になると電池形状の枠内に棒１本から棒無しの表示に切り替わる。
【００２８】
図３（Ａ）は、電池（リチュームイオンバッテリ）電圧と電池（リチュームイオンバッテリ）容量の関係を示す図である。縦軸に電池電圧（Ｖ）で、横軸に電池容量（％）が取られている。実線は規定負荷（５０mA）の際の電池容量の低下を示し、満充電電圧４．３５Ｖから電圧３．８Ｖ以下（電池容量６０％以下）になると電池形状の枠内に棒３本から棒２本の表示に切り替わる。電圧が更に下がって、３．７５Ｖ以下（電池容量３０％以下）になると電池形状の枠内に棒２本から棒１本の表示に切り替わる。電圧が更に下がって、３．５Ｖ以下（電池容量５％以下）になると電池形状の枠内に棒１本から棒無しの表示に切り替わる。
【００２９】
図４（Ｂ）は、高負荷時に、上述した規定負荷（５０mA）の際の電池電圧に基づく電池残容量表示をそのまま行った場合を示すための参考図である。図３（Ａ）中の点線は、高負荷時の電池容量の低下を示す。満充電電圧４．３５Ｖから電圧３．８Ｖ以下（電池容量８１％以下）になると電池形状の枠内に棒３本から棒２本の表示に切り替わる。電圧が更に下がって、３．７５Ｖ以下（電池容量８３％以下）になると電池形状の枠内に棒２本から棒１本の表示に切り替わる。電圧が更に下がって、３．５Ｖ以下（電池容量１８％以下）になると電池形状の枠内に棒１本から棒無しの表示に切り替わる。即ち、容量が７３％残っているにもかかわらず、充電の必要がまもなく来ることを示唆したい電池形状の枠内に棒１本の表示がなされてしまう。
【００３０】
図５は、負荷電流と電池電圧と電池容量との関係を示す図である。縦軸に電池電圧（Ｖ）で、横軸に電池容量（mAh）が取られている。 
実線は負荷電流２００mAの際の電池電圧の降下を示し、点線は負荷電流５００mAの際の電池電圧の降下を示し、２点鎖線は負荷電流１０００mAの際の電池電圧の降下を示している。図中楕円ｆで囲まれた点で示されるように、負荷電流２００mAの電池電圧１.０Ｖで、容量は８６０mAh、負荷電流５００mAの電池電圧１．０Ｖで、容量は８５０mAh、負荷電流１０００mAの電池電圧１.０Ｖで、容量は８３０mAhであり、負荷電流が異なっても容量は殆ど変わらない。
【００３１】
他方、負荷電流２００mAの電池電圧１．２５Ｖ（点Ｖ３）で容量は６００mAh、負荷電流５００mAの電池電圧１．２２Ｖ（点Ｖ４）で容量は６００mAhである。負荷電流によって残容量に対する電圧は異なる。負荷電流が大きくなると、電圧降下も大きくなる。電池の電圧差は、等価的に内部抵抗にほぼ等しいと考えられる。
【００３２】
このため、実施形態のＲＦＩＤ読取装置１０では、高負荷（負荷電流大）の際には、電流値に基づいて測定電圧を補正し、正しい残容量表示を行う。図２（Ａ）に示される制御部２１は、設定された周期で電池電圧を測定し、補正を行い補正後の電圧値に基づき図６（Ｂ）に示すような残量のアイコン表示を表示部２４に行う。
【００３３】
図６（Ｃ）は補正原理の説明図である。
タイミングＡは、前回の処理の際に取得した測定電圧値[ｖ1＝３．７０Ｖ]、電流値[ｉ1＝２６０mA]である。タイミングＢは、今回の処理の際に取得した測定電圧値[ｖ2＝３．６６Ｖ]、電流値[ｉ2＝３３０mA]である。タイミングＡとタイミングＢとの電圧、電流値から点Ｃ（基準負荷[ｉｘ＝５０mA]）の際の電圧値を求める。
先ず、下記数１で、電圧、電流のそれぞれの差から等価内部抵抗ｒを算出する。
【数１】
2019161931.tif 000003
【００３４】
下記数２のようにタイミングＢの測定電圧値[ｖ2＝３．６６Ｖ]に、基準負荷[５０mA]の電圧値に補正するためのｒ（ｉ2−ｉｘ）を加え、基準負荷[５０mA]の際に乗じる電圧値を求める。
【数２】
2019161931.tif 000004
この補正された３．８３[V]に基づき、残容量がアイコン表示される。
【００３５】
実施形態のＲＦＩＤ読取装置では、上述された電流値は、図７に示される消費電流テーブルを用いて、電流検出素子を用いることなく、電池の負荷電流値を複数の電力消費部品の内のいずれが駆動されているかに基づきソフトウエアーで推定する。図２（Ａ）中に示される表示部（電力消費部品）２４のバックライトの輝度設定は３段階あり、最も明るいレベルＬｖ３では１３０mAが消費され、中間の明るさのレベルＬｖ２では１００mAが消費され、最も低い明るさのレベルＬｖ１では５０mAが消費される。図２（Ａ）中に示される外部インタフェース（電力消費部品）２８を介して無線通信が行われると１００mAが消費される。図２（Ａ）中に示される非接触通信部（電力消費部品）３０を介してＲＦＩＤタグの読み取りが行われると２００mAが消費される。図２（Ａ）中に示されるブザー（電力消費部品）２７が鳴動されると１２０mAが消費される。図２（Ａ）中に示されるバイブレータ（電力消費部品）２６が振動する際に、６０mAが消費される。
【００３６】
例えば、図６（Ｃ）のタイミングＡで、バックライトの輝度設定が中間の明るさのレベルＬｖ２[１００mA]、無線通信が行われ[１００mA]、バイブレータ２６が振動し[６０mA]ていると、消費電流ｉ１は２６０mAと推定される。図６（Ｃ）のタイミングＢで、バックライトの輝度設定が最も明るいレベルＬｖ３[１３０mA]、読み取りが行われ[２００mA]ていると、消費電流ｉ２は３３０mAと推定される。
【００３７】
実施形態のＲＦＩＤ読取装置では、電池（リチュームイオンバッテリ）の負荷電流値を複数の電力消費部品の内のいずれが駆動されているかに基づき推定し、推定された負荷電流値を用いて等価内部抵抗値を算出する。このため、高価な電流計測用の素子が用いられることなく、電池残量が正確に表示される。
【００３８】
図８は、ＲＦＩＤ読取装置の制御部２１による残容量アイコン表示のための処理を示すフローチャートである。
電池電圧ｖ2が測定される（Ｓ１２）。図７を参照して上述された消費電流値テーブルを用いて消費電流ｉ2が推定される（Ｓ１４）。Ｓ１４での処理は、「負荷電流値推定手段」の一例に相当する。そして、前回の処理の際の測定電圧値、推定電流値が存在するかが判断される（Ｓ１６）。前回の処理の際の測定電圧値、推定電流値が存在しない場合（Ｓ１６：なし）、Ｓ１２の処理に戻る。
【００３９】
他方、前回の処理の際の測定電圧値、推定電流値が存在する場合（Ｓ１６：あり）、上述された数１を用いて等価抵抗値が算出される（Ｓ１８）。Ｓ１８での処理は、「修正値算出手段」の一例に相当する。算出された等価抵抗値を用いて今回の電池の測定電圧値ｖ2が補正される（Ｓ２０）。Ｓ２０での処理は、「補正手段」の一例に相当する。補正された電圧値に基づき、表示部２４に残容量のアイコン表示が行われる（Ｓ２２）。Ｓ２２での処理は、「表示手段」の一例に相当する。そして、今回の測定電圧値ｖ2が前回の測定電圧値ｖ1に、今回の推定電流値ｉ2が前回の推定電流値ｉ1に更新される（Ｓ２４）。
【００４０】
図６（Ａ）は、実施形態の補正後の電池電圧と電池容量の関係を示す図であり、実線は規定負荷の際の電圧降下を、点線は高負荷の際の補正後の電圧降下を示している。補正により、高負荷の際の電圧降下が規定負荷の際の電圧降下にほぼ一致している。
【００４１】
図６（Ｂ）は、補正後の残容量のアイコン表示の説明図である。
ＲＦＩＤ読取装置の使用者に対して、電池形状の枠内に棒３本の表示が、容量が半分（７３％）以上あることを示し、高負荷状態で、連続３時間弱の内、残り２時間以上使用可能であること示唆している。電池形状の枠内に棒２本の表示が、容量が半分程度（７３％−３９％）あることを示し、残り１時間半以上使用可能であることが示唆されている。電池形状の枠内に棒１本の表示が、容量が１／３程度（３９％）以下あることを示し、残り３０分程度使用可能であることが示唆されている。電池形状の枠内に棒無しの表示が、容量がほとんど残っていない（９％以下）ことを示し、充電を行わないと使用できない状態が迫っていることが適切に示唆されている。
【００４２】
実施形態のＲＦＩＤ読取装置１０では、所定時間前の電池の測定電圧値及び負荷電流値と、今回の電池の測定電圧値及び負荷電流値から修正値（内部抵抗値）を算出する。今回の電池の測定電圧値を算出された修正値（内部抵抗値）に基づき補正する。そして、補正された電池の電圧値に基づき電池の残量が表示器に表示される。このため、電池電圧の電圧降下に対する補正が行われ、電池の残量が表示されるため、機器の負荷が高く消費電力が多くなっても、電池残量が正確に表示される。
【００４３】
実施形態のＲＦＩＤ読取装置１０では修正値として、所定時間前の電池の測定電圧値及び負荷電流値と今回の電池の測定電圧値及び負荷電流値との差から電池の等価内部抵抗値を求める。等価内部抵抗値の変動に対する補正が行われ、電池の残量が表示されるため、機器の負荷が高く消費電力が多くなっても、電池残量が正確に表示される。
【００４４】
実施形態のＲＦＩＤ読取装置１０では、今回の負荷電流値から所定（規定）の負荷電流値を減算した値に等価内部抵抗値を掛けることで、所定（規定）の負荷電流値の際の電池電圧へ補正するための補正値を求め、そして、今回の電池の測定電圧値に、補正値を加え所定（規定）の負荷電流値の際の電池の電圧値を求め、補正値が加えられ求められた所定（規定）の負荷電流値の際の電圧値に基づき電池の残量を表示する。等価内部抵抗値の変動による電池電圧の電圧降下に対する補正が行われ、電池の残量が表示されるため、機器の負荷が高く消費電力が多くなっても、電池残量が正確に表示される。
【００４５】
実施形態のＲＦＩＤ読取装置１０では、残量の表示がアイコン表示であるため、視覚的に電池残量の把握が容易である。特に、アイコン表示は電池残量に応じた３段階以上の段階表示であるため、視覚的に電池残量の把握が容易である。また、実施形態のＲＦＩＤ読取装置では、電池が二次電池であるため、電池残量を正確に表示することで、次回の充電時期を適切に示唆することができる。
【産業上の利用可能性】
【００４６】
上述した実施形態では、携帯端末としてＲＦＩＤ読取装置が例示されたが、１次元コードコードリーダ、２次元コードリーダ等のコードリーダの他、本発明の構成は電池を内蔵する携帯端末であれば適用可能である。また上述した実施形態では、リチュームイオンバッテリが用いられたが、電池としては、ニッケル水素バッテリ、鉛電池等の二次電池、さらには、一次電池であっても、本発明の構成は適用可能である。また更に、アイコン表示ではなく、％等の残容量表示にも本発明の構成は適用可能である。
【符号の説明】
【００４７】
１０  ＲＦＩＤ読取装置
２１  制御部
２４  表示部
２６  バイブレータ
２７  ブザー
２９ａ  リチュームイオンバッテリ
【図１】
2019161931.tif 000005
【図２】
2019161931.tif 000006
【図３】
2019161931.tif 000007
【図４】
2019161931.tif 000008
【図５】
2019161931.tif 000009
【図６】
2019161931.tif 000010
【図７】
2019161931.tif 000011
【図８】
2019161931.tif 000012